(57)【要約】【課題】  剥離剤で膨潤させた状態のワックスを簡単かつ効率良く剥離して除去することができる、作業性に勝れたワイパーを提供する。【解決手段】  ワイパーが、柄５の先端にワイパーヘッド４を有するワイパー本体１と、上記ワイパーヘッド４に着脱自在のワックス剥離用払拭体２とからなっていて、上記払拭体２が、摩擦力のある粗い表面を有するワックス剥離のためのシート状部材２Ａと、剥離したワックスを掻き集めるために該シート状部材２Ａの端部に取り付けられたヘラ部材２Ｂとで形成されている。【選択図】        図１
2006034604.tif 000002
【特許請求の範囲】
【請求項１】
柄の先端にワイパーヘッドを取り付けたワイパー本体と、上記ワイパーヘッドに着脱自在のワックス剥離用払拭体とからなり、
上記払拭体が、摩擦力のある粗い表面を有するワックス剥離のためのシート状部材と、剥離したワックスを掻き集めるために該シート状部材に取り付けられたヘラ部材とで形成されていることを特徴とするワックス剥離用ワイパー。
【請求項２】
上記シート状部材が矩形形状をなしており、また、上記ヘラ部材が、該シート状部材より幅狭の矩形形状をなしていて、相対する第１長辺と第２長辺とを有し、一方の第１長辺側に偏寄した位置で上記シート状部材の一端に連結されると共に、この第１長辺にワックスを掻き集めるためのエッジが形成されていることを特徴とする請求項１に記載のワイパー。
【請求項３】
上記ヘラ部材における第１長辺側の端部が折り曲げられることにより、上記エッジがシート状部材から離反する方向に立ち上がっていることを特徴とする請求項２に記載のワイパー。
【請求項４】
上記ワイパーヘッドが矩形の台板状をしていて、平らな下面を有し、この下面を覆うように上記シート状部材が装着されており、また、上記ヘラ部材は、該ワイパーヘッドの幅方向一端側において該ワイパーヘッドの上面側に位置し、上記エッジが該ワイパーヘッドの端部に沿って延びると共に、該ワイパーヘッドの幅方向外側に向けて突出していることを特徴とする請求項２又は３に記載のワイパー。
【発明の詳細な説明】
【技術分野】
【０００１】
本発明は、床面等にワックスを塗り直す際に、今まで塗布してあった古いワックスを剥離するためのワイパーに関するものである。
【背景技術】
【０００２】
フローリングなどの床面のワックスを塗り直す場合、今まで塗布してあった古いワックスを剥離し、そのあと新たなワックスを塗布するのが通常の手順である。
また、このように古いワックスを剥離する場合、通常は剥離剤を使用し、この剥離剤でワックスを膨潤させたあと剥離するが、従来は、このように剥離剤で膨潤したワックスを剥離する場合、雑巾を直接手に持って拭き取るようにしていた。
【発明の開示】
【発明が解決しようとする課題】
【０００３】
ところが、上記剥離剤で膨潤したワックスはゲル化していて、雑巾への付着によって該雑巾をすぐにどろどろの状態にするため、該雑巾を頻繁に洗いながら作業を行わなければならず、非常に手間がかかる上に手が汚れ易いなど、非常に効率が悪かった。
そこで本発明は、剥離剤で膨潤させた状態のワックスを簡単かつ効率良く剥離して除去することができる、作業性に勝れたワイパーを提供することを目的とするものである。
【課題を解決するための手段】
【０００４】
上記目的を達成するため、本発明によれば、柄の先端にワイパーヘッドを取り付けたワイパー本体と、上記ワイパーヘッドに着脱自在のワックス剥離用払拭体とからなり、上記払拭体が、摩擦力のある粗い表面を有するワックス剥離のためのシート状部材と、剥離したワックスを掻き集めるために該シート状部材に取り付けられたヘラ部材とで形成されていることを特徴とするワックス剥離用ワイパーが提供される。
【０００５】
本発明において好ましくは、上記シート状部材が矩形形状をなし、また、上記ヘラ部材が、該シート状部材より幅狭の矩形形状をなしていて、相対する第１長辺と第２長辺とを有し、一方の第１長辺側に偏寄した位置で上記シート状部材の一端に連結されると共に、この第１長辺にワックスを掻き集めるためのエッジが形成されていることである。
【０００６】
また、本発明においては、上記ヘラ部材における第１長辺側の端部が折り曲げられることにより、上記エッジがシート状部材から離反する方向に立ち上がっていることが望ましい。
【０００７】
更に、本発明において好ましくは、上記ワイパーヘッドが矩形の台板状をしていて、平らな下面を有し、この下面を覆うように上記シート状部材が装着されており、また、上記ヘラ部材は、該ワイパーヘッドの幅方向一端側において該ワイパーヘッドの上面側に位置し、上記エッジが該ワイパーヘッドの端部に沿って延びると共に、該ワイパーヘッドの幅方向外側に向けて突出していることである。
【発明の効果】
【０００８】
本発明によれば、剥離剤で膨潤させた状態のワックスを摩擦力のある粗い表面を有するシート状部材で剥離し、そのあと、剥離したワックスをヘラ部材で掻き集めて除去することにより、雑巾を使用する従来の手作業に比べ、ワックスを簡単かつ効率良く剥離して除去することができる。
【発明を実施するための最良の形態】
【０００９】
図１〜３は本発明に係るワックス剥離用ワイパーの好ましい一実施形態を示すもので、図中１はワイパー本体、２はこのワイパー本体１に着脱自在に装着されたワックス剥離用払拭体である。
【００１０】
上記ワイパー本体１は、横方向に細長い矩形の台板状をしたワイパーヘッド４と、このワイパーヘッド４の上面中央位置に前後及び左右の両方向に起倒自在なるように取り付けられた柄５とからなっている。
このうち上記ワイパーヘッド４は、硬質又は半硬質の合成樹脂素材により形成されていて、平らな下面４ａを有し、この下面４ａを覆うように上記払拭体２のシート状部材２Ａが装着される。また、このワイパーヘッド４の上面は浅い皿状又は容器状に窪んでいて、その窪み７の底部に、適当な間隔をおいてワイパーヘッド４の下面４ａまで貫通する複数の孔８が設けられている。従ってこのワイパーヘッド４は、矩形の浅皿状又は浅い容器状に形成されていることになる。
【００１１】
上記ワイパーヘッド４の上面の長手方向両端部寄りの位置には、上記払拭体２を装着状態に固定するための固定部材１０がそれぞれ取り付けられている。これらの固定部材１０は、合成樹脂やゴムなどの軟質又は半硬質の素材で細長い帯状に形成したもので、ワイパーヘッド４の幅方向に向けて配置され、その中間部分１０ａが該ワイパーヘッド４にフックなどの適宜結合手段で取り外し自在に連結され、図３に鎖線で示すように、両端部が柔軟に変形させることによって起倒できるようになっている。これらの固定部材１０の長さはワイパーヘッド４の前後幅よりも少し短い。
【００１２】
図３から分かるように、上記各固定部材１０の長さ方向の両端部には、下向きに突出する円形の突起１１がそれぞれ形成され、これに対してワイパーヘッド４の上面のこの突起１１と対応する位置には、この突起１１が着脱自在に嵌合、係止する係止孔１２が設けられている。そして、これらの固定部材１０とワイパーヘッド４との間に上記払拭体２を介在させた状態で上記突起１１を係止孔１２に挿入、係止させることにより、この払拭体２をワイパーヘッド４に装着した状態に挟持し固定することができる。また、各固定部材１０の長さ方向の両端部の上記突起１１が形成されている部分の内側側面には、該突起１１を係止孔１２に挿入したり取り外したりするための操作用の摘み１３が形成されている。この摘み１３は、固定部材１０の一部を側面外側に向けて突出させることにより形成されている。
【００１３】
上記柄５は、柄取付部１５を介して上記ワイパーヘッド４に取り付けられている。この柄取付部１５は、ワイパーヘッド４側の第１取付部１５ａと柄５側の第２取付部１５ｂとに分かれている。上記第１取付部１５ａは、略Ｔ字形をした部材からなっていて、上記ワイパーヘッド４の上面に、該ワイパーヘッド４の長手方向を向く第１連結軸１６ａによって前後方向即ち該ワイパーヘッド４の幅方向に回動自在に連結されており、この第１取付部１５ａに上記第２取付部１５ｂが、上記第１連結軸１６ａと直交する別の第２連結軸１６ｂによって左右方向即ちワイパーヘッド４の長手方向に回動自在に連結されている。
【００１４】
一方、上記払拭体２は、図５からも明らかなように、床面に塗布されているワックスを剥離するための上記シート状部材２Ａと、剥離したワックスを掻き集めるためのヘラ部材２Ｂとで形成されている。
【００１５】
上記シート状部材２Ａは、矩形の平面形状を有するもので、相対する一対の第１縦辺１８ａ及び第２縦辺１８ｂと他の相対する一対の第１横辺１９ａ及び第２横辺１９ｂとを有しており、該シート状部材２Ａの大きさは、図１〜図３に示すようにそれをワイパーヘッド４の下面４ａ全体を覆うように装着したとき、両横辺１９ａ，１９ｂ側の端部が該ワイパーヘッド４の上面側にまで達する程度である。このシート状部材２Ａは、このようにワイパーヘッド４に装着した状態で、剥離剤で膨潤させたワックスを擦って掻き落とすものであり、このため、摩擦力のある粗い表面を有する柔軟性素材で形成されている。このように粗い表面を有ししかも床面を傷付けにくい柔軟性ある素材としては、合成樹脂を発泡させて形成したスポンジシートや、必要な剛性を備えた多数の繊維をランダムかつ低密度に積層して形成した不織布などの繊維シート、基材の表面に短繊維を植設してなるブラシ状シート、表面に凹凸を有する合成樹脂フィルムや不織布などからなる粗面シート等が挙げられるが、図示した例ではスポンジシートが用いられている。
【００１６】
上記スポンジシートとしては、図６に例示するように、気泡間の膜をなくして骨格だけを残した骨格構造のスポンジシートが適しており、このようなスポンジシートとしては、例えば密度が２０〜４０Ｋｇ／ｍ2 、セルの大きさが５〜１５セル／インチ程度のものが最適である。しかし、これ以外の数値のものであってもよいことはもちろんである。
【００１７】
上記ヘラ部材２Ｂは、ゴムや合成樹脂などの硬質又は半硬質の素材からなるもので、上記シート状部材２Ａより幅狭で細長い矩形の板状をなしている。具体的には、相対する第１長辺２０ａ及び第２長辺２０ｂと、他の相対する第１短辺２１ａ及び第２短辺２１ｂとを有していて、上記長辺２０ａ，２０ｂは上記シート状部材２Ａの横辺１９ａ，１９ｂとほぼ同じ長さに形成され、短辺２１ａ，２１ｂはシート状部材２Ａの縦辺１８ａ，１８ｂの約１／５〜１／６程度の長さに形成されている。そして、上記長辺２０ａ，２０ｂをシート状部材２Ａの横辺１９ａ，１９ｂと平行に向けた状態で、一方の第１長辺２０ａ側の端部をシート状部材２Ａの第２横辺１９ｂと部分的に重ね合わせ、結合ライン２３に沿ってそれらを縫着あるいは接着等の適宜方法で結合することにより、これらのシート状部材２Ａとヘラ部材２Ｂを互いに一体化している。
【００１８】
従って、上記ヘラ部材２Ｂの第２長辺２０ｂ側の端部は、シート状部材２Ａの第２横辺１９ｂよりも外部に延出している。そして、上記ヘラ部材２Ｂの上記シート状部材２Ａと重なり合う第１長辺２０ａの端縁には、ワックスを掻き集めるためのエッジ２４が形成されている。また、上記ヘラ部材２Ｂは、上記結合ライン２３に沿った位置でくの字形に折曲されることにより、第１長辺２０ａ即ちエッジ２４がシート状部材２Ａから離反する方向に向けて若干立ち上がっている。
【００１９】
上記払拭体２をワイパーヘッド４に取り付けられるようにするため、上記ヘラ部材２Ｂの第２長辺２０ｂ側の端部とシート状部材２Ａの第１横辺１９ａ側の端部とには、それぞれ２つの取付孔２６が形成されている。そして、ワイパーヘッド４の一端側において、上記ヘラ部材２Ｂをワイパーヘッド４の上面とこの固定部材１０の一端との間に介在させ、取付孔２６を通じて各固定部材１０の端部の突起１１をワイパーヘッド４の係止孔１２にそれぞれ挿入、係止させることによりこのヘラ部材２Ｂを挟持、固定したあと、上記シート状部材２Ａをワイパーヘッド４の下面４ａから反対側の端部上面に達するように巻き付けて、その第１横辺１９ａ側の端部を各固定部材１０の他端との間に位置させ、取付孔２６を通じて各固定部材１０の突起１１をワイパーヘッド４の係止孔１２に挿入、係止させることにより、このシート状部材２Ａの第１横辺１９ａ側の端部を固定する。これにより上記払拭体２がワイパーヘッド４に装着状態に固定される。
【００２０】
このとき、上記ワイパーヘッド４の下面４ａ全体が上記シート状部材２Ａで覆われ、上記ヘラ部材２Ｂは、該ワイパーヘッド４の幅方向の一端側において該ワイパーヘッド４の上面側に位置し、上記エッジ２４が該ワイパーヘッド４の端部に沿って延びると共に、該ワイパーヘッド４の幅方向外側に向けて突出している。
なお、上記シート状部材２Ａの第１横辺１９ａ側の端部には必ずしも取付孔２６を形成しておく必要はなく、上記突起１１で該シート状部材２Ａの一部を係止孔１２内に押し込んで固定するようにしても良い。
【００２１】
上記構成を有するワイパーを使用して床面に塗布されているワックスを剥離する場合には、このワックスを剥離剤で膨潤させたあと、図１及び図２に示すように、ワイパーヘッド４の下面４ａで払拭体２のシート状部材２Ａを床面に押し付けて前後動させることにより、該シート状部材２Ａの摩擦力でワックスを剥離させる。このとき、該シート状部材２Ａは、粗い表面を有しているため効率よくワックスを剥離させることができ、しかも、柔軟性素材で形成されているから床面を傷付けることもない。
ワックスの剥離作業が終わると、図４に示すように、上記ワイパーヘッド４を上下反転させ、上記ヘラ部材２Ｂのエッジ２４を床面に押し付けてワックスを掻き集める。掻き集められたワックスは容器等に入れられ、廃棄される。
【００２２】
かくして、ワックスの剥離からそれを掻き集めるまでの作業を、ワイパーを使用して簡単かつ効率良く行うことができ、直接手でワックスに触れる必要がないため、衛生的で作業性に勝れる。
【００２３】
また、上記のようにして古いワックスを剥離した床面に新たなワックスを塗布する場合にも、このワイパーは使用することができる。即ち、ワイパーヘッド４から上記払拭体２を取り外し、そのあとに、図７に示すように、不織布や連続気泡のスポンジ体等からなるワックス塗布用シート２８を上記払拭体２と同様の方法で装着し、ワイパーヘッド４の上面の窪み７内に液状のワックスＷを適量入れて該ワイパーヘッド４を床面に沿って摺動させる。これにより、窪み７の底部の複数の孔８からワックスが流出して塗布用シート２８に浸透し、床面に塗布されることになる。従って、上記ワイパー本体１は、ワックス剥離用とワックス塗布用の両方の作業に兼用できるものである。
【００２４】
しかし、ワックスの塗布には他の塗布用ワイパーを使用しても良い。この場合に、上記ワイパー本体１においては、ワイパーヘッド４が図示のような皿状をしてワックス流出用の孔８を有している必要はなく、通常の台板形やその他の形状をしていても良い。
【図面の簡単な説明】
【００２５】
【図１】本発明に係るワックス剥離用ワイパーの一実施形態を示す斜視図である。
【図２】図１のＡ−Ａ線での拡大断面図である。
【図３】図１のＢ−Ｂ線での拡大断面図である。
【図４】剥離したワックスを掻き集める状態を示す要部断面図である。
【図５】払拭布の展開図である。
【図６】払拭布の要部拡大図である。
【図７】ワックスを塗布する場合の要部断面図である。
【符号の説明】
【００２６】
１      ワイパー本体
２      払拭体
２Ａ      シート状部材
２Ｂ      ヘラ部材
４      ワイパーヘッド
４Ａ      下面
５      柄
２０ａ      第１長辺
２０ｂ      第２長辺
２４      エッジ
【図１】
2006034604.tif 000003
【図２】
2006034604.tif 000004
【図３】
2006034604.tif 000005
【図４】
2006034604.tif 000006
【図５】
2006034604.tif 000007
【図６】
2006034604.tif 000008
【図７】
2006034604.tif 000009